(57)【要約】      （修正有）【課題】小型化を図るとともに安定してレンズを停止位置に保持する。【解決手段】レンズ駆動装置１０は、レンズ２１を保持する移動レンズ体２０を光軸１１方向に移動させるとともに、移動レンズ体２０に固定された駆動マグネット３１と、通常撮影位置側に配置された第一駆動コイル３４と、マクロ撮影位置側に配置された第二駆動コイル３２とを備える。第一駆動コイル３４及び第二駆動コイル３２への通電を停止したときに、駆動マグネット３１を磁気吸着により移動レンズ体２０を通常撮影位置に保持し、第一駆動コイル３４と第二駆動コイル３２との少なくとも一方への通電により移動レンズ体２０を光軸１１方向に移動させ、移動レンズ体２０がマクロ撮影位置に移動した場合、第一駆動コイル３４と第二駆動コイル３２との少なくとも一方へ通電させて、マクロ撮影位置に保持する。【選択図】図１
2007108413.tif 000002
【特許請求の範囲】
【請求項１】
レンズを保持する移動レンズ体と、この移動レンズ体を前記レンズの光軸方向に移動させるとともに、前記移動レンズ体を保持する固定体と、前記移動レンズ体に固定された駆動マグネットと、前記駆動マグネットと磁気回路を構成するととともに、前記レンズの光軸方向において通常撮影位置側に配置された第一駆動コイルと、前記駆動マグネットと磁気回路を構成するとともに、前記レンズの光軸方向においてマクロ撮影位置側に配置された第二駆動コイルと、前記通常撮影位置側に配置された磁性部材とを備えたことを特徴とするレンズ駆動装置。
【請求項２】
レンズを保持する移動レンズ体と、この移動レンズ体を前記レンズの光軸方向に移動させるとともに、前記移動レンズ体を保持する固定体と、前記移動レンズ体に固定された駆動マグネットと、前記駆動マグネットと磁気回路を構成するととともに、前記レンズの光軸方向において通常撮影位置側に配置された第一駆動コイルと、前記駆動マグネットと磁気回路を構成するとともに、前記レンズの光軸方向においてマクロ撮影位置側に配置された第二駆動コイルと、前記レンズが通常撮影位置側に配置された磁性部材とを備え、前記第一駆動コイル及び前記第二駆動コイルへの通電を停止したときに、上記駆動マグネットと上記磁性部材との磁気吸着により前記移動レンズ体を前記通常撮影位置に保持し、前記第一駆動コイルと前記第二駆動コイルとの少なくとも一方への通電により前記移動レンズ体を前記レンズの光軸方向に移動させ、前記移動レンズ体が前記マクロ撮影位置に移動した場合前記第一駆動コイルと前記第二駆動コイルとの少なくとも一方へ通電させて、前記マクロ撮影位置に保持していることを特徴とするレンズ駆動方法。
【発明の詳細な説明】
【技術分野】
【０００１】
本発明は、カメラなどに用いられるレンズ駆動装置およびその駆動方法に関するものである。
【背景技術】
【０００２】
近年、カメラ付き携帯機器などに搭載される薄型カメラには、通常撮影位置とマクロ（接写）撮影位置との間を、レンズを移動させるレンズ駆動装置が備えられている（例えば特許文献１参照）。
【０００３】
例えば、図２に示すレンズ駆動装置１００は、レンズを備えた移動体１１０と、この移動体１１０をレンズ１１４の光軸方向に移動させるとともに、移動体１１０を保持する固定体１２４とを備えている。移動体１１０には、レンズ１１４とともに光軸方向に移動可能な駆動マグネット１１６が備えられている。また、固定体１２４には、駆動マグネット１１６と磁気回路を構成する第一駆動コイル１２８と第二駆動コイル１３０とがそれぞれレンズ１１４の光軸方向に配置されている。さらに、レンズ駆動装置１００には、第一及び第二駆動コイル１２８、１３０よりも光軸方向外側に、第一磁性片１３２および第二磁性片１３４が対向配置されている。
【０００４】
そして、このレンズ駆動装置１００では、第一駆動コイル１２８または第二駆動コイル１３０への通電を停止したときに駆動マグネット１１６と第一磁性片１３２または第二磁性片１３４との磁気吸着により移動体１１０を通常撮影位置またはマクロ撮影位置のどちらか一方に保持するようになっている。また、移動体１１０は、第一駆動コイル１２８または第二駆動コイル１３０への通電によって第一駆動コイル１２８と第二駆動コイル１３０との間を移動可能となっている。
【特許文献１】特開２００５−３７８６５号公報
【発明の開示】
【発明が解決しようとする課題】
【０００５】
しかしながら、特許文献１に示すレンズ駆動装置１００において、通電を停止したときに、駆動マグネット１１６が第一磁性片１３２または第二磁性片１３４のどちらかに磁気吸着されることで、移動体１１０が通常撮影位置またはマクロ撮影位置のいずれかの位置で保持されている。近年、レンズ駆動装置の小型化の要求が高まり、構成部品のサイズが小型化となってきたため、第一、第二磁性片１３２、１３４の半径方向の幅が小さくなり、または厚みが薄くなり、磁気吸着力が弱くなるという問題がある。磁気吸着力が弱くなると、レンズ駆動装置の姿勢を例えば９０度傾けた場合、または、落下したときの衝撃で、移動体１１０が容易に移動してしまい、所定の撮影位置に保持することができないという問題がある。
【０００６】
以上の問題に鑑みて、本発明の課題は、小型化を図るとともに安定してレンズを停止位置に保持することができるレンズ駆動装置を提供する。
また、本発明の課題は、レンズを通常撮影位置またはマクロ撮影位置に安定して保持できるように制御するレンズ駆動方法を提供する。
【課題を解決するための手段】
【０００７】
上記課題を解決するため、本発明では、レンズを保持する移動レンズ体と、この移動レンズ体を前記レンズの光軸方向に移動させるとともに、前記移動レンズ体を保持する固定体と前記移動レンズ体に固定された駆動マグネットと、前記駆動マグネットと磁気回路を構成するととともに、前記レンズの光軸方向において通常撮影位置側に配置された第一駆動コイルと、前記駆動マグネットと磁気回路を構成するとともに、前記レンズの光軸方向においてマクロ撮影位置側に配置された第二駆動コイルと、前記通常撮影位置側に配置された磁性部材とを備えたことを特徴とする。
【０００８】
本発明によれば、前記第一駆動コイルと、前記第二駆動コイルが前記駆動マグネットと磁気回路を構成し、前記移動レンズ体を前記レンズの光軸方向へ移動させることができるとともに、通常撮影位置側には、前記駆動マグネットに磁気吸着される磁性部材を配置したので、前記第一、第二駆動コイルへの非通電時には、前記移動レンズ体を通常撮影位置側に保持することができる。
【０００９】
さらに、本発明によれば、通常撮影位置側にのみ前記磁性部材を配置したことによって、通常撮影位置側に配置された前記第一駆動コイルと前記駆動マグネットとの吸着力を高めることができる。このため、カメラを傾けた場合や落下した場合でも、移動レンズ体は容易に移動することはなく、通常撮影位置に保持することができる。
【００１０】
また、本発明では、レンズを保持する移動レンズ体と、この移動レンズ体を前記レンズの光軸方向に移動させるとともに、前記移動レンズ体を保持する固定体と、前記移動レンズ体に固定された駆動マグネットと、前記駆動マグネットと磁気回路を構成するとともに、前記レンズの光軸方向において通常撮影位置側に配置された第一駆動コイルと、前記駆動マグネットと磁気回路を構成するとともに、前記レンズの光軸方向においてマクロ撮影位置側に配置された第二駆動コイルと、前記レンズが通常撮影位置側に配置された磁性部材とを備え、前記第一駆動コイル及び前記第二駆動コイルへの通電を停止したときに、上記駆動マグネットと上記磁性部材との磁気吸着により前記移動レンズ体を前記通常撮影位置に保持し、前記第一駆動コイルと前記第二駆動コイルとの少なくとも一方への通電により前記移動レンズ体を前記レンズの光軸方向に移動させ、前記移動レンズ体が前記マクロ撮影位置に移動した場合前記第一駆動コイルと前記第二駆動コイルとの少なくとも一方へ通電させて、前記マクロ撮影位置に保持していることを特徴とする。
【００１１】
本発明によれば、前記第一駆動コイルと、前記第二駆動コイルが前記駆動マグネットと磁気回路を構成し、前記移動レンズ体を前記レンズの光軸方向へ移動させることができるとともに、通常撮影位置側には、前記駆動マグネットに磁気吸着される磁性部材を配置したので、前記第一駆動コイル及び前記第二駆動コイルへの通電を停止したときに、上記駆動マグネットと上記磁性部材との磁気吸着により前記移動レンズ体を前記通常撮影位置に保持することができる。
【００１２】
さらに、本発明によれば、通常撮影位置側にのみ前記磁性部材を配置したことによって、通常撮影位置側に配置された前記第一駆動コイルと前記駆動マグネットとの吸着力を高めることができる。このため、カメラを傾けた場合や落下した場合でも、移動レンズ体は容易に移動することはなく、通常撮影位置に保持することができる。
【００１３】
また、本発明によれば、前記移動レンズ体が前記マクロ（接写）撮影位置に移動した場合前記第一駆動コイルと前記第二駆動コイルとの少なくとも一方へ通電させて、前記マクロ撮影位置に保持しているので、移動レンズ体を確実にマクロ撮影位置に保持することができる。このため、カメラを傾けた場合や落下した場合でも、移動レンズ体は容易に移動することはなく、マクロ撮影位置に保持することができる。
【発明の効果】
【００１４】
本発明では、レンズを保持する移動レンズ体と、この移動レンズ体を前記レンズの光軸方向に移動させるとともに、前記移動レンズ体を保持する固定体と前記移動レンズ体に固定された駆動マグネットと、前記駆動マグネットと磁気回路を構成するととともに、前記レンズの光軸方向において通常撮影位置側に配置された第一駆動コイルと、前記駆動マグネットと磁気回路を構成するとともに、前記レンズの光軸方向においてマクロ撮影位置側に配置された第二駆動コイルと、前記通常撮影位置側に配置された磁性部材とを備えたことを特徴とする。
【００１５】
本発明によれば、前記第一駆動コイルと、前記第二駆動コイルが前記駆動マグネットと磁気回路を構成し、前記移動レンズ体を前記レンズの光軸方向へ移動させることができるとともに、通常撮影位置側には、前記駆動マグネットに磁気吸着される磁性部材を配置したので、前記第一、第二駆動コイルへの非通電時には、前記移動レンズ体を通常撮影位置側に保持することができる。
【００１６】
さらに、本発明によれば、通常撮影位置側にのみ前記磁性部材を配置したことによって、通常撮影位置側に配置された前記第一駆動コイルと前記駆動マグネットとの吸着力を高めることができる。このため、カメラを傾けた場合や落下した場合でも、移動レンズ体は容易に移動することはなく、通常撮影位置に保持することができる。
【００１７】
また、本発明に係るレンズ駆動方法によれば、通常撮影位置側にのみ前記磁性部材を配置したことによって、通常撮影位置側に配置された前記第一駆動コイルと前記駆動マグネットとの吸着力を高めることができる。このため、カメラを傾けた場合や落下した場合でも、移動レンズ体は容易に移動することはなく、通常撮影位置に保持することができる。
【００１８】
さらに、本発明に係るレンズ駆動方法によれば、前記移動レンズ体が前記マクロ（接写）撮影位置に移動した場合前記第一駆動コイルと前記第二駆動コイルとの少なくとも一方へ通電させて、前記マクロ撮影位置に保持しているので、移動レンズ体を確実にマクロ撮影位置に保持することができる。このため、カメラを傾けた場合や落下した場合でも、移動レンズ体は容易に移動することはなく、マクロ撮影位置に保持することができる。
【発明を実施するための最良の形態】
【００１９】
以下に、図面を参照して、本発明に係るレンズ駆動装置を説明する。なお、本実施の形態に係るレンズ駆動装置は携帯電話のような携帯機器のカメラ部分として搭載するのに適した構成となっているが、ＰＤＡ（Ｐｅｒｓｏｎａｌ  Ｄｅｇｉｔａｌ  Ａｓｓｉｔａｎｃｅ）等他の形態機器に搭載するようにしてもよい。
【００２０】
（全体構成）
図１は本発明を適用したレンズ駆動装置を示す断面図である。
【００２１】
レンズ駆動装置１０は、図１に示すように、レンズ２１を備えた移動レンズ体２０と、この移動レンズ体２０をレンズ２１の光軸１１の方向に移動させる駆動機構３０と、移動レンズ体２０を光軸１１の方向に移動可能に支持する固定体４０と、レンズ２１を通過した像を結像する撮像素子５０と撮像素子５０が固定された台座部５１とから主に構成されている。
さらに、移動レンズ体２０が、撮像素子５０が配置される側（光軸１１方向における一方側／通常撮影位置側）と被写体側（光軸１１方向における他方側／マクロ（接写）撮影位置側）との間で往復移動するようになっている。
【００２２】
（移動レンズ体の構成）
移動レンズ体２０は、光軸１１がその中心に位置することとなる略円筒形状の鏡筒２２を有していて、鏡筒２２の内部にレンズ２１が備えられている。レンズ２１は、カメラの撮影レンズで、複数枚のレンズが組合せられることによって構成されている。
本実施の形態では、３枚のレンズが配置されており、図１の上側が被写体側レンズ２１ａ、次に中間レンズ２１ｂ、下側がカメラボディ側レンズ２１ｃであり、撮像素子５０に結像するように構成されている。また、被写体側レンズ２１ａと中間レンズ２１ｂとの間には、スペーサ２４が介在されている。
【００２３】
鏡筒２２の前端部、すなわち被写体側の端部には、キャップ２５が嵌め込まれており、３枚のレンズ２１ａ、２１ｂ、２１ｃ及びスペーサ２４を押さえ込むとともに抜け止めとして固定されている。また、キャップ２５には、被写体からの反射光をレンズ２１に取り込む円形の入射窓２５１が前端面の中央に形成されている。
【００２４】
鏡筒２２の外周には、略円筒形状のスリーブ２３が備えられている。本実施の形態において、鏡筒２２の外周と、スリーブ２３の内周とはネジが形成されており、両者はネジによって螺合されている。すなわち、組立て時にレンズ２１と撮像素子５０との焦点距離を調整できるようにしている。なお、調整後は、その位置関係が移動しないように、接着剤が塗布されて、鏡筒２２とスリーブ２３との位置関係は固定されるようになっている。
【００２５】
スリーブ２３の図１の下側は、突出した壁部２３ａが形成されており、移動レンズ体２０の通常撮影位置において、固定体４０側に当接するようになっている。
さらに、スリーブ２３には、その外周面の中央部近傍に、リング状に形成された駆動マグネット３１が接着剤等を用いて固着されている。
なお、スリーブ２３には、径方向に延びるように形成されたフランジ部を形成し、このフランジ部に、駆動マグネット３１を載置して接着剤等で固着してもよい。または、駆動マグネット３１は、スリーブ２３にフランジ部に載置されながら機械的に結合してもよい。具体的には、駆動マグネット３１の内側に形成された突起が、スリーブ２５の外周に形成された溝に嵌り込み、径方向に回転させて、駆動マグネット３１を光軸１１の方向に挟持されるように固定できるようになっている。
【００２６】
（駆動機構の構成）
駆動機構３０は、スリーブ２３に取付けられたリング状の駆動マグネット３１と、この駆動マグネット３１を光軸１１方向に挟むように配置された第一駆動コイル３４及び第二駆動コイル３２とが配置されている。具体的には、図１において駆動マグネット３１の上側には第二駆動コイル３２が配置され、下側には、第一駆動コイル３４が配置されている。
第一駆動コイル３２及び第二駆動コイル３４は、スリーブ２３が光軸１１方向への移動時に接することが無いように、図１に示すように、スリーブ２３の外周よりも大きな内径となるように巻回されて形成されている。
なお、第一駆動コイル３４及び第二駆動コイル３２の端末は、それぞれ固定体４０から外部に引き出され、電気的に接続され、給電されるようになっている。給電については、従来と同じ構成及び方法であるので、ここでの説明は省略する。
【００２７】
さらに、本実施の形態では、第二駆動コイル３２は、第一駆動コイルよりも巻回数を増やして形成されており、図１から明らかなように、第二駆動コイル３２は光軸１１方向において、第一駆動コイル３４の長さ（面積）よりも長く（大きく）なっている。
このように、第二駆動コイル３２の巻回数を多くすることで、通電した場合の磁気力を強くしており、駆動マグネット３１の磁気吸着力を強くし、移動レンズ体２０の移動速度を高めるとともに、マクロ撮影位置での保持力を高めるようになっている。
【００２８】
これにより、移動レンズ体２０をマクロ撮影位置で保持する場合、第二駆動コイル３２に通電した状態で保持することになるので、強い磁気力で移動レンズ体２０を保持することができるようになっている。
さらに、第二駆動コイル３２の巻回数が第一駆動コイル３４に比べて多いので、所定の磁力を低電流で発生させることができる。よって、電力消費を抑えることができる。
なお、巻回数以外にも、第二駆動コイル３２の線径を太くする等し、第二駆動コイル３２の磁気力を第一駆動コイル３４よりも大きくしてもよい。
また、第二駆動コイル３４と第一駆動コイル３２との巻回数、線径等を同じにしておいてもよい。
【００２９】
第一駆動コイル３４には、図１の下側に磁性部材としてのヨーク（磁性片）３３が配置されている。このヨーク３３は座金状の強磁性体、例えば鋼板からなり、図１において、駆動マグネット３１が鏡筒２２と共に通常撮影位置に移動し、第一駆動コイル３４に通電されなくても駆動マグネット３１とヨーク３３との間に生じる磁気吸引力によって、移動レンズ体２０が移動した位置、すなわち、第一駆動コイル３２側に保持されるようになっている。このときレンズ１４の位置は、通常撮影位置となっている。ヨーク３３は、第一駆動コイル３４と同様に、スリーブ２３が光軸１１方向への移動時に接することが無いように、図１に示すように、スリーブ２３の外周よりも大きな内径となるように巻回されて形成されている。
【００３０】
これら駆動マグネット１６、第一駆動コイル３４、ヨーク３３、第二駆動コイル３２とにより、磁気回路が構成されている。具体的には、駆動マグネット１６からでた磁束は、第一駆動コイル３４やヨーク３３をその中心側から外周側に通過し駆動マグネット３１に戻るようになっている。また駆動マグネット３１からの磁束は、第二駆動コイル３２をその中心側から外周側を通り、駆動マグネット３１に至るようになっている。したがって、駆動マグネット３１によって形成される磁界中に第一駆動コイル３４、および第二駆動コイル３２が位置している。
【００３１】
また、本実施の形態では、図１において、ヨーク３３の下側には、板バネ３６が配置され、移動レンズ体２０を光軸１１方向に付勢している。板バネ３６は、移動レンズ体２０が光軸１１方向に移動する際、スムーズに移動できるようにするためのものである。なお、板バネ３６を配置しなくてもよい。
【００３２】
（固定体の構成）
固定体４０は、本実施の形態では、図１に示すように、カバー部材４１、ベース部材４４及びケース部材４７とから構成されている。
【００３３】
カバー部材４１は、樹脂成形されており、中空の円板形状している。カバー部材４１には、巻回された第一駆動コイル３２が接着剤等を用いて固定されている。
さらに、カバー部材４１の内側は、第一駆動コイル３２の外径よりも内側に突出した突出部４１ａが形成されており、移動レンズ体２０の抜け止めとなっている。さらには、突出部４１ａに、移動レンズ体２０が当接することで、マクロ撮影位置に設定するようにしてもよい。
【００３４】
なお、図示していないが、カバー部材４１の突出部４１ａには、移動レンズ体２０が光軸１１の方向に移動する際にガイドするガイド部が形成されていてもよい。
ガイド部を構成することで、移動レンズ体２０の振れを抑制することができるようになっている。
【００３５】
ベース部材４４は、カバー部材４１とほぼ同じように樹脂成形されており、中空の円板形状をしている。
【００３６】
さらに、本実施の形態では、ベース部材４４の内周側には、板バネ３６の内側が載置する規制部４４ａが形成されている。この規制部４４ａは、スリーブ２３の壁部２３ａと板バネ３６の内側が当接し、移動レンズ体２０の通常撮影位置となっている。
【００３７】
さらに、ベース部材４４には、板バネ３６の図示上側には、ヨーク３５及び巻回された第二駆動コイル３４が光軸１１方向に重ねて配置されている。さらに、本実施の形態では、第一駆動コイル３４とヨーク３５との内周面とスリーブ２３の外周面との間には、間隙が形成され、スリーブ２３の外周面が接触することが無いようになっている。
【００３８】
カバー部材４１とベース部材４４の間には、図１に示すように、円筒形状したケース４７部材が配置され、第一、第二駆動コイル３２、３４の光軸１１を中心とした径方向の外側を塞ぐように配置されている。具体的には、ケース部材４７は、カバー部４１及びベース部材４４の外周面を覆うような長さに形成され、ケース部材４７が覆う部分に接着剤等を用いて、カバー部材４１及びケース部材４７に固定されている。
さらに、本実施の形態では、ケース部材４７は樹脂製のフィルム状であり、カバー部材４１及びベース部材４４の外周面に巻きつけるようにして固定されている。なお、ケース部材４７はフィルム状でなくてもよい。
【００３９】
レンズ駆動装置１０の光軸１１に沿った奥側には、台座部５１が固定されており、この台座部５１には、撮像素子５０が固定配置されている。撮像素子４４はＣＭＯＳ（Ｃｏｍｐｌ−ｅｍｅｎｔａｒｙ  Ｍｅｔａｌ  Ｏｘｉｄｅ  Ｓｅｍｉｃｏｎｄｕｃｔｏｒ）で構成されており、その検知信号を図示しない回路基板へ送る。検知信号となる画像信号は、回路基板を介して図示しない制御部（マイクロコンピュータ等で構成される）へ送られる。なお、撮像素子５０としては、ＣＭＯＳ以外にＣＣＤやＶＭＩＳ等を採用することができる。
【００４０】
次に、レンズ駆動装置の動作について説明する。
レンズ駆動装置１０を備えたカメラでは、図１に示すように、移動レンズ体２０は通常撮影位置となっている。すなわち、通常は、第一駆動コイル３４、第二駆動コイル３２には通電されていない状態であるので、移動レンズ体２０は、駆動マグネット３１と第一駆動コイル３４側に配置されたヨーク３５との磁気吸着力により保持されている。このため、移動レンズ体２０は、板バネ３６の付勢力に抗してベース部材４４の規制部４４ａに載置（当接）した状態となっている。
【００４１】
移動レンズ体２０をマクロ撮影位置に移動する場合、図示しない切り換えスイッチを動作させ、第一、第二駆動コイル３４、３２の少なくとも一方に、所定の向きに通電する。すなわち、移動レンズ体２０を被写体側への移動の際に生じる電磁力は、第一駆動コイル３４及び第二駆動コイル３２への通電では駆動マグネット３１を被写体側に移動させる向きに発生させる。なお、第一、第二駆動コイル３４、３２の両方に同時に通電しても良いし、いずれか一方に通電してもよい。
【００４２】
上記のような通電により、この電流の向きと駆動マグネット３１による磁界の向きとによってフレミングの左手の法則により駆動マグネット３１を被写体側に押し出す向きの電磁力が働き、駆動マグネット３１と共に鏡筒２２は被写体側に移動する。この移動量は駆動マグネット３１と第一、第二駆動コイル３４、３２との間に生じる上述した間隔の範囲内である。鏡筒２２と共にレンズ２１が被写体側に移動してマクロ撮影位置での撮影が可能となる。なお、フレミングの左手の法則は、磁界中に線電流が流れているときに、その線電流を流している物体に働く力の関係を示すものであるが、この実施の形態では、第一、第二駆動コイル３４、３２が共に固定されているため反作用として駆動マグネット３１に力が働くこととなる。
【００４３】
スリーブ２３、ひいては鏡筒２２が被写体側に移動し、マクロ撮影位置に保持される。本実施の形態では、第一駆動コイル３４、および第二駆動コイル３２に通電された状態で保持される。
なお、本実施の形態において、カバー部材４１の突出部４１ａにスリーブ２３が当接することで、マクロ撮影位置を規制するようにしてもよい。
【００４４】
つぎに、マクロ撮影位置から通常撮影位置に切り換えるには、切り換えスイッチを切り換えて、移動レンズ体２０を通常撮影位置に移動するようにする。この切り換えによって、第一、第二駆動コイル３４、３２の少なくとも一方に逆向きに通電され、この電流の向きと駆動マグネット３１による磁界の向きとによってフレミングの左手の法則により駆動マグネット３１を撮像素子５０側に移動させる電磁力が働き、駆動マグネット３１とともに鏡筒２２が前進する。移動レンズ体２０は、スリーブ２３の壁部２３ａが、板バネ３６の付勢力に抗して、ベース部材４４の規制部４４ａに当接するまで移動し、当接した位置で停止する。この当接した位置は、レンズ駆動装置１０における通常撮影位置となっている。
【００４５】
また、通常撮影位置（当接した位置）では、第一駆動コイル３４、および第二駆動コ
イル３２に通電されなくても駆動マグネット３１と、ヨーク３３との間に生じる磁気吸引力によって保持される。
【００４６】
（本形態の主な効果）
【００４７】
レンズ駆動装置１０は、移動レンズ体２０を光軸１１方向に移動させるとともに、移動レンズ体２０を保持する固定体４０と移動レンズ体２０に固定された駆動マグネット３１と、駆動マグネット３１と磁気回路を構成するととともに、光軸１１方向において通常撮影位置側に配置された第一駆動コイル３４と、駆動マグネット３１と磁気回路を構成するとともに、光軸１１方向においてマクロ（接写）撮影位置側に配置された第二駆動コイル３２と、通常撮影位置側に配置されたヨーク３３とを備えている。
このため、第一駆動コイル３４と、第二駆動コイル３２が駆動マグネット３１と磁気回路を構成し、移動レンズ体２０を光軸１１方向へ移動させることができるとともに、通常撮影位置側には、駆動マグネット３１に磁気吸着されるヨーク３３が配置されているので、第一、第二駆動コイル３４、３２への非通電時には、移動レンズ体２０を通常撮影位置側に保持することができる。
【００４８】
さらに、従来技術とは異なり、通常撮影位置側にのみヨーク３３を配置したことによって、通常撮影位置側に配置された第一駆動コイル３４と駆動マグネット３１との磁気吸着力を高めることができる。このため、このレンズ駆動装置１０を備えたカメラを傾けた場合や落下した場合でも、移動レンズ体２０は容易に移動することはなく、通常撮影位置に保持することができる。
【００４９】
さらに、上述したレンズ駆動装置１０のレンズ駆動方法において、通常撮影位置側に配置した第一駆動コイル３４と、マクロ撮影位置側に配置した第二駆動コイル３２が駆動マグネット３１と磁気回路を構成し、移動レンズ体２０を光軸１１方向へ移動させることができるとともに、通常撮影位置側には、駆動マグネット３１に磁気吸着されるヨーク３３が配置されているので、第一駆動コイル３４及び第二駆動コイル３２への通電を停止したときに、駆動マグネット３１とヨーク３３との磁気吸着により移動レンズ体２０を通常撮影位置に保持することができる。
【００５０】
さらに、本実施の形態に示すレンズ駆動方法では、通常撮影位置側にのみヨーク３３を配置したことによって、通常撮影位置側に配置された第一駆動コイル３４と駆動マグネット３３との磁気吸着力を高めることができる。このため、上述したレンズ駆動装置１０を備えたカメラを傾けた場合や落下した場合でも、移動レンズ体２０は容易に移動することはなく、通常撮影位置に保持することができる。
【００５１】
また、レンズ駆動方法において、移動レンズ体２０がマクロ（接写）撮影位置に移動した場合、第一駆動コイル３４と第二駆動コイル３２との少なくとも一方へ通電させて、マクロ撮影位置に保持しているので、移動レンズ体２０を確実にマクロ撮影位置に保持することができる。このため、上述したレンズ駆動装置１０カメラを傾けた場合や落下した場合でも、移動レンズ体２０は容易に移動することはなく、マクロ撮影位置に保持することができる。
【図面の簡単な説明】
【００５２】
【図１】本発明に係るレンズ駆動装置を示す断面図である。
【図２】従来のレンズ駆動装置を示す断面図である。
【符号の説明】
【００５３】
１０  レンズ駆動装置
２０  移動レンズ体
２１  レンズ
３０  駆動機構
３１  駆動マグネット
３２  第二駆動コイル
３４  第一駆動コイル
３５  磁性部材
３６  板バネ
４０  固定体
【図１】
2007108413.tif 000003
【図２】
2007108413.tif 000004